(57)【要約】【課題】  光ファイバの突出角度やクリアランスを制御でき、安定した性能を実現できる光ファイバ固着治具を提供すること。【解決手段】  光ファイバ保持部材２３の本体部２３ａの端面と当接する第１当接部２３ｊと、前記光ファイバ１１を位置決めする第２当接部２３ｍと、突出した前記光ファイバ１１を保持し位置決めする位置決め手段とを有し、前記位置決め手段は、前記光ファイバを整列するための溝３１ａが形成されているベース部材３１と、前記光ファイバ１１を押圧する押圧部材２２と、該押圧部材３３を前記ベース部材３１に保持させる保持部材３５とを有する。【選択図】  図２
2006030781.tif 000002
【特許請求の範囲】
【請求項１】
光ファイバの端面同士を当接させて接続する光コネクタに用いる光ファイバ保持部材に前記光ファイバを固着するための治具本体を含む光ファイバ固着治具において、
前記光ファイバ保持部材は、本体部と保持部とを有し、前記本体部の端面から所定の長さ突出するように前記光ファイバを固定しており、前記保持部は開口部を有し、
前記治具本体は、前記光ファイバと前記光ファイバ保持部材とを収容する収容部と、前記光ファイバ突出側の前記本体部の端面と当接する第１当接部と、前記本体部の端面から所定の長さ突出するように前記光ファイバを位置決めする第２当接部と、突出した前記光ファイバの中間部分を保持し前記光ファイバを位置決めする位置決め手段とを有し、
前記位置決め手段は、前記光ファイバを整列するための溝が形成さているベース部材と、前記光ファイバを押圧する押圧部材と、該押圧部材を前記ベース部材に保持させる保持部材とを有し、
前記光ファイバを挿入した前記光ファイバ保持部材を前記収容部に収容し、前記光ファイバを前記位置決め手段により前記光ファイバを整列保持した後、前記開口部に接着剤を流し込み、前記光ファイバを前記光ファイバ保持部材に固着するようにしたことを特徴とする光ファイバ固着治具。
【請求項２】
請求項１記載の光ファイバ固着治具において、前記位置決め手段を前記光ファイバよりも僅かに大きな孔を有するキャピラリィとしたことを特徴とする光ファイバ固着治具。
【発明の詳細な説明】
【技術分野】
【０００１】
本発明は、光ファイバの端面同士を当接させて接続する光コネクタに用いる光ファイバ固着治具に関する。
【背景技術】
【０００２】
従来の光ファイバ固着治具では、光ファイバ保持部材の先端から突出した光ファイバを所定長で維持し、光ファイバと光ファイバ保持部材とを固定する。光ファイバの所定長を維持するには、光ファイバ保持部材を当接部に当接させて、この状態を維持しながら光ファイバと光ファイバ保持部材を固着している。その後、光ファイバと光ファイバ保持部材を光コネクタのプラグに組み込む。光コネクタの嵌合は、上記方法で組み立てたプラグの１対にＶ溝をアライメント部として有するアダプタを介して行い、光ファイバの座屈の復元力を利用して光ファイバ端面同士を接続させている（例えば、特許文献１、特許文献２を参照）。
【０００３】
【特許文献１】特開２００４−１１８０３１号公報
【特許文献２】特開平８−３１３７５９号公報
【発明の開示】
【発明が解決しようとする課題】
【０００４】
しかしながら、光ファイバ保持部材の先端より突出した光ファイバは、光ファイバ保持部材の孔と光ファイバのクリアランス（１００μ程度）により、突出角度を制御できないという問題がある。
【０００５】
そのため、嵌合時の光ファイバの座屈方向が定まらず、隣接する場合は、光ファイバが干渉し、性能が安定せず、極端な場合は、光ファイバが折損するという問題がある。
【０００６】
また、これらを解決するためには、クランプ基準寸法精度を厳しくする必要があり、光コネクタを提供するための妨げとなっていた。
【０００７】
それ故に、本発明の課題は、光ファイバの突出角度やクリアランスを制御でき、安定した性能を実現できる光ファイバ固着治具を提供することにある。
【課題を解決するための手段】
【０００８】
本発明は、光ファイバの端面同士を当接させて接続する光コネクタに用いる光ファイバ保持部材に前記光ファイバを固着するための治具本体を含む光ファイバ固着治具において、前記光ファイバ保持部材は、本体部と保持部とを有し、前記本体部の端面から所定の長さ突出するように前記光ファイバを固定しており、前記保持部は開口部を有し、前記治具本体は、前記光ファイバと前記光ファイバ保持部材とを収容する収容部と、前記光ファイバ突出側の前記本体部の端面と当接する第１当接部と、前記本体部の端面から所定の長さ突出するように前記光ファイバを位置決めする第２当接部と、突出した前記光ファイバの中間部分を保持し前記光ファイバを位置決めする位置決め手段とを有し、前記位置決め手段は、前記光ファイバを整列するための溝が形成さているベース部材と、前記光ファイバを押圧する押圧部材と、該押圧部材を前記ベース部材に保持させる保持部材とを有し、前記光ファイバを挿入した前記光ファイバ保持部材を前記収容部に収容し、前記光ファイバを前記位置決め手段により前記光ファイバを整列保持した後、前記開口部に接着剤を流し込み、前記光ファイバを前記光ファイバ保持部材に固着するようにしたことを特徴とする光ファイバ固着治具であることを最も主要な特徴とする。
【発明の効果】
【０００９】
本発明の光ファイバ固着治具によれば、光ファイバ保持部材の端面と第２当接部の中間に光ファイバを整列する整列部を有するため、光ファイバ保持部材の孔と光ファイバのクリアランスに関係なく、光ファイバの突出角度を制御して光ファイバと光ファイバ保持部材とを接着できる。
【００１０】
一般的に、光ファイバの接着には粘性の低い接着剤を使用するので、上述のクリアランスに接着剤が回り込み固着される。よって、特に、光ファイバ保持部材の寸法精度を厳しくする必要がなく、安価な光コネクタを提供できる。
【００１１】
また、本発明では、ベース部の溝と押圧部材との間の空間で光ファイバが整列されるので、突出角度を制御でききる。
【００１２】
さらに、ベース部と押圧部材とをシリコン樹脂材料によって製作した場合には、クリアランスは１μｍ程度となる。
【００１３】
さらにまた、光ファイバをベース部の溝に押え付ける押圧部材を弾性部材とした場合には、この弾性部材により光ファイバを溝に押さえ付けるので、クリアランスはゼロとなり制御精度を向上できる。
【００１４】
本発明の光ファイバ固着治具による組立によれば、光ファイバの突出角度を制御することが可能であり、光ファイバの座屈方向も一定となり隣接する光ファイバの干渉もなく安定した性能を実現できる。
【発明を実施するための最良の形態】
【００１５】
本発明の光ファイバ固着治具は、光ファイバの端面同士を当接させて接続する光コネクタに用いる光ファイバ保持部材に前記光ファイバを固着するための治具本体を含む光ファイバ固着治具において、前記光ファイバ保持部材は、本体部と保持部とを有し、前記本体部の端面から所定の長さ突出するように前記光ファイバを固定しており、前記保持部は開口部を有し、前記治具本体は、前記光ファイバと前記光ファイバ保持部材とを収容する収容部と、前記光ファイバ突出側の前記本体部の端面と当接する第１当接部と、前記本体部の端面から所定の長さ突出するように前記光ファイバを位置決めする第２当接部と、突出した前記光ファイバの中間部分を保持し前記光ファイバを位置決めする位置決め手段とを有し、前記位置決め手段は、前記光ファイバを整列するための溝が形成さているベース部材と、前記光ファイバを押圧する押圧部材と、該押圧部材を前記ベース部材に保持させる保持部材とを有し、前記光ファイバを挿入した前記光ファイバ保持部材を前記収容部に収容し、前記光ファイバを前記位置決め手段により前記光ファイバを整列保持した後、前記開口部に接着剤を流し込み、前記光ファイバを前記光ファイバ保持部剤に固着するようにしたことにより実現した。
【実施例１】
【００１６】
図１は、本発明に係る光ファイバ固着治具によって光ファイバを装着する光コネクタの実施例１を示している。図１を参照して、光コネクタは、光ファイバ１１を保持している一方のプラグ１３と、光ファイバ１１に接続するもう一方の光ファイバ１５を保持しているもう一方のプラグ１７と、プラグ１３及びプラグ１７を相互に接続しているアダプタ１９とを有している。
【００１７】
プラグ１３内に挿入された光ファイバ１１とプラグ１７内に挿入された光ファイバ１５とは、アダプタ１９内で一軸方向Ｘを直交する方向で整列されて端面同士が調芯されて当接されている。光ファイバ１１及び光ファイバ１５の端面同士の接触に必要な荷重は、光ファイバ１５の座屈による撓み部分１５ａによる復元力を利用している。
【００１８】
図２は、光ファイバ１１を固着するための光ファイバ固着治具を示している。図２を参照して、光ファイバ固着治具は、略長板形状の治具本体２１と、略四角柱形状の光ファイバ保持部材２３とを備えている。
【００１９】
治具本体２１は、光ファイバ１１を収容する第１収容部２１ａと、光ファイバ保持部材２３を収容する第２収容部２１ｂとを有している。第１及び第２収容部２１ａ，２１ｂは、治具本体２１の上面から内方に形成さている大きな溝部分である。
【００２０】
光ファイバ保持部材２３は、図３にも拡大して示したように、四角柱形状の本体部２３ａと、光ファイバ１１を保持するための保持部２３ｂとを有している。
【００２１】
光ファイバ保持部材２３は、本体部２３ａの端面２３ｄから所定の長さ突出するように光ファイバ１１を固定する。保持部２３ｂは本体部２３ａの一面から内部へ開口されている開口部２３ｇを有している。
【００２２】
治具本体２１の第１収容部２１ａには、光ファイバ１１が突出側の本体部２３ａにおける端面２３ｄと当接する第１当接部２３ｊと、本体部２３ａの端面２３ｄから所定の長さ突出するように光ファイバ１１を位置決めする第２当接部２３ｍと、突出した光ファイバ１１の中間部分を保持し光ファイバ１１を位置決めするための位置決め手段とを有している。
【００２３】
位置決め手段は、図４に示すように、光ファイバ１１を整列するＶ字形状の溝３１ａが設けられているベース部材３１と、光ファイバ１１を押圧する押圧部材３３と、押圧部材３３をベース部材３１に保持させる保持部材３５とを有している。
【００２４】
光ファイバ固着治具では、光ファイバ保持部材２３の先端を第１当接面２３ｊに当接させつつ、光ファイバ１１の先端を第２当接面２３ｍに当接させる。光ファイバ保持部材２３の保持部２３ａの端面と第２当接面２３ｍの中間とは、光ファイバ１１を整列させる整列部であり、溝３１ａと押圧部材３３との空間がある。
【００２５】
図２及び図５に示すように、光ファイバ１１を搭載した光ファイバ保持部材２３を治具本体２１に搭載した後、押圧部材３３、保持部材３３の順で搭載する。光ファイバ１１を挿入した光ファイバ保持部材２３は、第２収容部２１ｂに収容されて、光ファイバ１１を位置決め手段により光ファイバ１１を整列保持させる。その後、溝２３ａ上に押圧部材３３を設け、保持部材３５に設けられている梁３５ａにより、常時、当接状態を維持する。その後、開口部２３ｇに接着剤を流し込み、接着剤を充填し、接着剤を硬化させて光ファイバ１１を光ファイバ保持部材２３に固着する。
【００２６】
接着剤は高温硬化時に光ファイバ保持部材２３の孔２３ｐと光ファイバ１１のクリアランス部に回り込むため、突出角度の制御できた光ファイバ１１の接着を行うことができる。
【００２７】
また、押圧部材３３を弾性部材によって形成すれば、光ファイバ保持部材２３の孔ｐと光ファイバ１１とのクリアランスを吸収できるため、さらに、制御精度の向上が可能である。
【００２８】
なお、位置決め手段は、溝３１ａが設けられているベース部材３１と、押圧部材３３と、押圧部材３３をベース部材３１に保持させる保持部材３５とを有しているが、位置決め手段を光ファイバ１１よりも僅かに大きな孔を有するキャピラリィとしてもよい。
【図面の簡単な説明】
【００２９】
【図１】図１は本発明に係る光ファイバ固着治具によって光ファイバを装着する光コネクタを示す一部断面した斜視図である（実施例１）。
【図２】図２は、本発明に係る光ファイバ固着治具を示す斜視図である。
【図３】図２に示した光ファイバ保持部材を拡大して示した斜視図である。
【図４】図２のベース部材の一部分を拡大して示した斜視図である。
【図５】図２に示した光ファイバ固着治具により光ファイバを保持した状態を示す斜視図である。
【符号の説明】
【００３０】
１１，１５    光ファイバ
１３，１７    プラグ
１９    アダプタ
２１    治具本体
２１ａ    第１収容部
２１ｂ    第２収容部
２３    光ファイバ保持部材
２３ａ    本体部
２３ｂ    保持部
２３ｄ    端面
２３ｇ    開口部
２３ｊ    第１当接部
２３ｍ    第２当接部
３１    ベース部材
３１ａ    溝
３３    押圧部材
３５    保持部材
【図１】
2006030781.tif 000003
【図２】
2006030781.tif 000004
【図３】
2006030781.tif 000005
【図４】
2006030781.tif 000006
【図５】
2006030781.tif 000007